(57)【要約】【課題】内部に気体が導入されることによって、所定の外形形状が規定される柔軟性構造物に電気装飾を取り付けた場合に、電気装飾の数量に応じた発光効果を得ることを可能とする柔軟性構造物を提供する。【解決手段】管状部材１０１の内部に空気が導入されることによって、イルミネーションエアアーチ１００の外形形状が規定される。また、管状部材１０１に、イルミネーションコード１１０に設けられたＬＥＤ１１１から発せられる光の透過が可能な透明生地を用いることにより、看者側に設けられるＬＥＤ１１１から発せられる光りだけでなく、管状部材１０１を挟んで、看者とは反対側の領域に配置されたＬＥＤ１１１から発せられる光も、看者から見ることが可能となる。【選択図】図１
0003150198.tif 000002
【実用新案登録請求の範囲】
【請求項１】
内部に導入された気体圧により所定の外形形状が規定される柔軟性構造物であって、
内部に気体が導入されることによって、所定の外形形状が規定される柔軟性部材と、
前記柔軟性部材に取り付けられる電気装飾と、を備え、
前記柔軟性部材は、前記電気装飾から発せられる光の透過が可能な透明生地により構成される、柔軟性構造物。
【請求項２】
前記柔軟性部材は、アーチ形状が形成される管状部材である、請求項１に記載の柔軟性構造物。
【請求項３】
前記電気装飾は、所定の間隔で配置される複数の発光ダイオードを有するイルミネーションコードであり、
前記イルミネーションコードが透明フックを用いて前記柔軟性部材に固定される、請求項１または２に記載の柔軟性構造物。
【請求項４】
前記管状部材は、
内部において第１空間を規定する第１管状部材と、
この第１管状部材の外側に配置され、前記第１管状部材の外面との間において第２空間を規定する第２管状部材と、
この第２管状部材の外側に配置され、前記第２管状部材の外面との間において第３空間を規定する第３管状部材と、を備え、
前記第１管状部材にはその内部に気体を導入するための気体導入口が設けられるとともに、前記第１空間から前記第２空間へ気体を導出するための第１連通口が設けられ、
前記第２管状部材には、前記第２空間から前記第３空間へ気体を導出するための第２連通口が設けられ、
前記第２連通口の開口面積は、前記第１連通口の開口面積よりも小さく設けられる、請求項２に記載の柔軟性構造物。
【請求項５】
前記電気装飾は、所定の間隔で配置される複数の発光ダイオードを有するイルミネーションコードであり、
前記イルミネーションコードが透明フックを用いて、前記第１管状部材、前記第２管状部材および前記第３管状部材に固定される、請求項４に記載の柔軟性構造物。
【請求項６】
内部に空気が導入されることによって、前記柔軟性部材の外形形状が規定される、請求項１から５のいずれかに記載の柔軟性構造物。
【考案の詳細な説明】
【技術分野】
【０００１】
この考案は、内部に気体が導入されることによって、所定の外形形状が規定される柔軟性構造物に関する。
【背景技術】
【０００２】
内部に気体が導入されることによって、所定の外形形状が規定される柔軟性構造物の一例として、下記特許文献１から４が挙げられる。特許文献１には、内部に気体を導入することで半円形状のエアアーチが開示されている。また、特許文献２から４には、発光体を備えた風船が開示されている。
【先行技術文献】
【特許文献】
【０００３】
【特許文献１】実用新案登録第３０９７４１７号公報
【特許文献２】特開２００３−３４０１６８号公報
【特許文献３】特開２００６−２０１３０７号公報
【特許文献４】特開２００７−１０９５０号公報
【考案の概要】
【考案が解決しようとする課題】
【０００４】
従来のエアアーチは、運動会、陸上競技会その他のイベントにおける入場・退場ゲートとして用いることが多く、このようなイベントは昼間の利用が一般的である。また、夜間の使用を目的として、エアアーチの表面に電気装飾を取り付けることも考えられる。
【０００５】
しかし、エアアーチには通常イベント名を掲載することから、エアアーチを構成する構造物の生地には不透明の材料が用いられる。そのため、エアアーチの表面に電気装飾を取り付けても、看者の反対側に取り付けられた電気装飾から発せられる光はエアアーチ自体により遮られるために、電気装飾による十分な効果が得られない。
【０００６】
この考案の目的は、内部に気体が導入されることによって、所定の外形形状が規定される柔軟性構造物に電気装飾を取り付けた場合に、電気装飾の数量に応じた発光効果を得ることを可能とする柔軟性構造物を提供することにある。
【課題を解決するための手段】
【０００７】
この考案に基づいた柔軟性構造物においては、内部に導入された気体圧により所定の外形形状が規定される柔軟性構造物であって、内部に気体が導入されることによって、所定の外形形状が規定される柔軟性部材と、上記柔軟性部材に取り付けられる電気装飾とを備え、上記柔軟性部材は、上記電気装飾から発せられる光の透過が可能な透明生地により構成される。
【０００８】
上記考案の他の形態においては、上記柔軟性部材は、アーチ形状が形成される管状部材である。
【０００９】
上記考案の他の形態においては、上記電気装飾は、所定の間隔で配置される複数の発光ダイオードを有するイルミネーションコードであり、上記イルミネーションコードが透明フックを用いて上記柔軟性部材に固定される。
【００１０】
上記考案の他の形態においては、上記管状部材は、内部において第１空間を規定する第１管状部材と、この第１管状部材の外側に配置され、上記第１管状部材の外面との間において第２空間を規定する第２管状部材と、この第２管状部材の外側に配置され、上記第２管状部材の外面との間において第３空間を規定する第３管状部材とを備えている。
【００１１】
また、上記第１管状部材にはその内部に気体を導入するための気体導入口が設けられるとともに、上記第１空間から上記第２空間へ気体を導出するための第１連通口が設けられ、上記第２管状部材には、上記第２空間から上記第３空間へ気体を導出するための第２連通口が設けられ、上記第２連通口の開口面積は、上記第１連通口の開口面積よりも小さく設けられる。
【００１２】
上記考案の他の形態においては、上記電気装飾は、所定の間隔で配置される複数の発光ダイオードを有するイルミネーションコードであり、上記イルミネーションコードが透明フックを用いて、上記第１管状部材、上記第２管状部材および上記第３管状部材に固定される。
【００１３】
上記考案の他の形態においては、内部に空気が導入されることによって、上記柔軟性部材の外形形状が規定される。
【考案の効果】
【００１４】
この考案に基づいた柔軟性構造物によれば、柔軟性部材に電気装飾から発せられる光の透過が可能な透明生地が用いられている。これにより、看者側に設けられる電気装飾から発せられる光だけでなく、従来、構造物自体により遮られる領域（柔軟性部材を挟んで、看者とは反対側の領域）に配置された電気装飾から発せられる光も、看者から見ることが可能となる。その結果、電気装飾の数量に応じた発光効果を得ることが可能となる。
【図面の簡単な説明】
【００１５】
【図１】実施の形態におけるイルミネーションエアアーチの全体構成を示す図である。
【図２】図１中のＩＩ−ＩＩ線矢視断面図である。
【図３】実施の形態における透明フックの構造を示す斜視図である。
【図４】実施の形態における透明フックによるイルミネーションコードの固定を示す図である。
【図５】実施の形態における他のイルミネーションエアアーチの全体構成を示す図である。
【図６】実施の形態における他のイルミネーションエアアーチの全体構成を示す図である。
【図７】実施の形態におけるイルミネーションエアアーチに積層構造を採用した場合の構成を示す図である。
【図８】実施の形態におけるイルミネーションエアアーチに積層構造を採用した場合の電気装飾効果を示す図である。
【図９】他の実施の形態における球形の柔軟性構造物の構成を示す図である。
【図１０】他の実施の形態における環状形の柔軟性構造物の構成を示す図である。
【図１１】他の実施の形態におけるハート形の柔軟性構造物の構成を示す図である。
【図１２】他の実施の形態における星形の柔軟性構造物の構成を示す図である。
【図１３】他の実施の形態におけるアドバルーンの構成を示す図である。
【考案を実施するための形態】
【００１６】
本考案に基づいた実施の形態における柔軟性構造物について、以下、図を参照しながら説明する。なお、以下に説明する実施の形態において、個数、量などに言及する場合、特に記載がある場合を除き、本考案の範囲は必ずしもその個数、量などに限定されない。また、同一の部品、相当部品に対しては、同一の参照番号を付し、重複する説明は繰り返さない場合がある。また、複数の実施の形態における柔軟性構造物に示されるそれぞれの特徴を組み合わせて用いることは当初から意図されている。
【００１７】
（イルミネーションエアアーチ１００の構成）
まず、図１から図４を参照して、本実施の形態における柔軟性構造物としてのイルミネーションエアアーチ１００について説明する。このイルミネーションエアアーチ１００は、柔軟性部材として、アーチ形状が形成される管状部材１０１を有している。また、管状部材１０１の内部に空気を導入するためのエアブロア１０が、管状部材１０１の一端側に取り付けられている。
【００１８】
管状部材１０１には、柔軟性部材として、塩化ビニールシートが用いられる。塩化ビニールシートには、後述のイルミネーションコード１１０に設けられたＬＥＤ（発光ダイオード）から発せられる光の透過が可能なように無色透明の生地が用いられている。なお、無色透明の生地に限定されることなく、赤、青その他の色が着色された有色透明の生地を用いることも可能である。また、生地の透明度も、ＬＥＤから発せられる光の透過が可能であれば良い。
【００１９】
（イルミネーションコード１１０の取り付け）
本実施の形態におけるイルミネーションエアアーチ１００には、２本のイルミネーションコード１１０が用いられ、管状部材１０１の外表面に螺旋状に、イルミネーションコード１１０が巻きつけられている。イルミネーションエアアーチ１００は、図示しない電源・制御装置に連結されている。なお、イルミネーションコード１１０の本数は、２本に限定されるものでなく、１本、または、３本以上でもかまわない。また、外表面でなく、管状部材１０１の内表面にイルミネーションエアアーチ１００を固定することも可能である。
【００２０】
イルミネーションエアアーチ１００は、管状部材１０１の外表面に設けられた透明フック１０２を利用して、管状部材１０１に取り付けられている。図３に示すように、透明フック１０２には、軟質塩化ビニール製のロープ環が用いられている。本実施の形態では、環状のベース１０２ａの上に、凸部１０２ｂが設けられ、この凸部１０２ｂに円筒状の貫通孔１０２ｃが設けられている。サイズの一例として、φＬ１が約φ３０ｍｍ、φＬ２が約φ４５ｍｍ、Ｈが約１８ｍｍである。この透明フック１０２は、金型を用いて、高周波ウエルダにより、管状部材１０１の外表面に、イルミネーションエアアーチ１００の配置位置に応じて所定のピッチで複数個溶着されている。
【００２１】
図４に示すように、イルミネーションコード１１０には、ＬＥＤ１１１が複数設けられており、ＬＥＤ１１１の間に位置するケーブル１１２が、透明のビニール紐１０３を用いて、透明フック１０２に固定されている。
【００２２】
（作用・効果）
再び、図１を参照して、上記構成からなるイルミネーションエアアーチ１００によれば、エアブロア１０により、管状部材１０１の内部に空気が導入されることによって、イルミネーションエアアーチ１００の外形形状が規定される。また、管状部材１０１に、イルミネーションコード１１０に設けられたＬＥＤ１１１から発せられる光の透過が可能な透明生地を用いることにより、看者側に設けられるＬＥＤ１１１から発せられる光だけでなく、管状部材１０１を挟んで、看者とは反対側の領域に配置されたＬＥＤ１１１から発せられる光も、看者から見ることが可能となる。
【００２３】
その結果、管状部材１０１に取り付けられたＬＥＤ１１１から発せられる光のすべてが、看者から見ることが可能となる。さらに、イルミネーションコード１１０による電飾効果を立体的に浮き上がらせることが可能になる。また、ＬＥＤとして、単一色でなく、様々な色の組み合わせや、ＬＥＤを点滅させることにより、イルミネーション効果をより一層高めることが可能となる。
【００２４】
なお、ＬＥＤを有するイルミネーションコード１１０を用いた場合について説明しているが、発光源としてＬＥＤに限定されるものではなく、電球等その他の発光源を用いることも可能である。
【００２５】
（他のアーチ形状、他のイルミネーションコードの配置形態）
また、図１に示すイルミネーションエアアーチ１００においては、半円型のアーチを示したが、図５に示すように、門型のアーチ形状を有するイルミネーションエアアーチ２００を採用することも可能である。また、イルミネーションコード１１０を螺旋状に配置するだけでなく、図６に示すイルミネーションエアアーチ３００のように、複数のイルミネーションコード１１０を、アーチ形状に沿って並行に配置することも可能である。また、イルミネーションエアアーチ３００を、図５に示すように門型のアーチ形状にすることも可能である。
【００２６】
（積層構造のイルミネーションエアアーチ４００の構造）
次に、図７および図８を参照して、積層構造のイルミネーションエアアーチ４００の構造について説明する。上述したイルミネーションエアアーチ１００，２００，３００は、管状部材１０１がすべて単層構造の場合を示している。一方、さらに、イルミネーション効果を高める構造として、管状部材を複数層からなる積層構造とし、それぞれの管状部材にイルミネーションコードを設けることが考えられる。
【００２７】
まず、図７を参照して、このイルミネーションエアアーチ４００の管状部材は、内部において第１空間Ａ１を規定する第１管状部材４０１と、この第１管状部材４０１の外側に配置され、第１管状部材４０１の外面との間において第２空間Ａ２を規定する第２管状部材４０２と、この第２管状部材４０２の外側に配置され、第２管状部材４０２の外面との間において第３空間Ａ３を規定する第３管状部材４０３と、この第３管状部材４０３の外側に配置され、第３管状部材４０３の外面との間において第４空間Ａ４を規定する第４管状部材４０４とを有している。
【００２８】
また、第１管状部材４０１にはその内部に空気を導入するための空気導入口４０５が設けられ、図示しないエアブロアが連結されている。また、第１管状部材４０１には、第１空間Ａ１から第２空間Ａ２へ気体を導出するための第１連通口４０１ｈが設けられている。
【００２９】
また、第２管状部材４０２には、第２空間Ａ２から第３空間Ａ３へ気体を導出するための第２連通口４０２ｈが設けられ、第３管状部材４０３には、第３空間Ａ３から第４空間Ａ４へ気体を導出するための第３連通口４０３ｈが設けられている。さらに、第２連通口４０２ｈの開口面積は、第１連通口４０１ｈの開口面積よりも小さく設けられ、第３連通口４０３ｈの開口面積は、第２連通口４０２ｈの開口面積よりも小さく設けられている。
【００３０】
このように、第１空間Ａ１、第２空間Ａ２、第３空間Ａ３、および第４空間Ａ４を規定するため、第１管状部材４０１、第２管状部材４０２、第３管状部材４０３、および第４管状部材４０４の４層構造とする場合に、外側に位置する連通口の開口面積を段階的に小さくなるように設けることで、空気圧は内部空間ほど高くなることから、イルミネーションエアアーチ４００全体としてのアーチ形状を維持させることが可能となる。
【００３１】
上記構成において、図８に示すように、第１管状部材４０１、第２管状部材４０２、第３管状部材４０３、および第４管状部材４０４のそれぞれに、イルミネーションコード１１０ａ，１１０ｂ，１１０ｃ，１１０ｄを設けることで、イルミネーション効果をさらに高めることが可能になる。なお、このイルミネーションエアアーチ４００の全体形状は、図１に示す半円型のアーチ形状や、図５に示す門型のアーチ形状の採用が可能である。また、イルミネーションコード１１０ａ，１１０ｂ，１１０ｃ，１１０ｄの配設も、図１および図５に示す螺旋状、図６に示す並行配置状のいずれの採用も可能である。
【００３２】
なお、上記イルミネーションエアアーチ４００においては、４層構造の場合について説明したが、３層の場合、または、５層以上の場合であっても同様の構成を採用することで、イルミネーションエアアーチ全体としてのアーチ形状を維持させながら、イルミネーション効果を高めることが可能である。
【００３３】
なお、上記イルミネーションエアアーチ１００，２００，３００，４００は、いずれも屋外での長期使用を目的としている。そのため、管状部材に使用する塩化ビニールシートには、強度を確保するために、繊維の入った生地を使用することが好ましい。この場合、塩化ビニールシートの厚さは、約０．３５ｍｍ〜約０．５ｍｍ程度である。また、その生地を管状に成形する際には、縫製又は高周波ウエルダによる溶着加工を施すことが好ましい。
【００３４】
一方、室内で用いる場合には、小型にすることができ、屋外で用いる程の強度は要求されない。このような場合には、通常の塩化ビニールシートの生地を用いることができる。この場合、塩化ビニールシートの厚さは、約０．２ｍｍ〜約０．３ｍｍ程度である。また、その生地を管状に成形する際には、接着剤（シクロヘキサン）を用いることが好ましい。
【００３５】
また、図１から図８においては、内部にエアブロアを用いて空気を連続的に送風する場合について説明しているが、屋内でインテリアとして用いる場合には、管状部材の内部に導入した空気を密閉状態にしてその外形形状を維持させるようにすることも可能である。
【００３６】
また、他の形態としては、図９に示すように、球形の柔軟性部材５０１に、イルミネーションコード５１０を固定する形態、図１０に示すように、環状形の柔軟性部材６０１に、イルミネーションコード６１０を固定する形態、図１１に示すように、ハート形の柔軟性部材７０１に、イルミネーションコード７１０を固定する形態、図１２に示すように、星形の柔軟性部材８０１に、イルミネーションコード８１０を固定する形態を採用することも可能である。
【００３７】
さらに、内部に導入する気体として、空気に限定せず、たとえば、内部にへリュウムガスを導入することで、屋外又は屋内を浮遊させることができ、アイキャッチの効果を高めることができる。なお、いずれの柔軟性部材も、光の透過が可能な透明生地により構成されている。
【００３８】
また、図１３のアドバルーン９００に対しても、光の透過が可能な透明生地により構成された球形の柔軟性部材９０１に、イルミネーションコード９１０を固定し、ロープ９０２により地上に固定させておくことで、宣伝広告効果をより高めることが可能となる。
【００３９】
なお、上記各実施の形態において、電気装飾の一例としてＬＥＤを有するイルミネーションコードを用いた場合について説明しているが、発光源としてＬＥＤに限定されるものではなく、電球等その他の発光源を用いることも可能である。また、ＬＥＤとして、単一色でなく、様々な色の組み合わせや、ＬＥＤを点滅させることも可能である。
【００４０】
以上、本考案の実施の形態について説明したが、今回開示された実施の形態は全ての点で例示であって制限的なものではないと考えられるべきである。本考案の範囲は実用新案登録請求の範囲によって示され、実用新案登録請求の範囲と均等の意味および範囲内での全ての変更が含まれることが意図される。
【符号の説明】
【００４１】
１０  エアブロア、１００，２００，３００，４００  イルミネーションエアアーチ、１０１  管状部材、１０２  透明フック、１０３  ビニール紐、１０２ａ  ベース、１０２ｂ  凸部、１０２ｃ  貫通孔、１１０，１１０ａ，１１０ｂ，１１０ｃ，１１０ｄ  イルミネーションコード、１１１  ＬＥＤ、１１２  ケーブル、４０１  第１管状部材、４０１ｈ  第１連通口、４０２  第２管状部材、４０２ｈ  第２連通口、４０３  第３管状部材、４０３ｈ  第３連通口、４０４  第４管状部材、４０５  空気導入口、Ａ１  第１空間、Ａ２  第２空間、Ａ３  第３空間、Ａ４  第４空間、５０１  柔軟性部材、５１０  イルミネーションコード、６０１  柔軟性部材、６１０  イルミネーションコード、７０１  柔軟性部材、７１０  イルミネーションコード、８０１  柔軟性部材、８１０  イルミネーションコード、９００  アドバルーン。
【図１】
0003150198.tif 000003
【図２】
0003150198.tif 000004
【図３】
0003150198.tif 000005
【図４】
0003150198.tif 000006
【図５】
0003150198.tif 000007
【図６】
0003150198.tif 000008
【図７】
0003150198.tif 000009
【図８】
0003150198.tif 000010
【図９】
0003150198.tif 000011
【図１０】
0003150198.tif 000012
【図１１】
0003150198.tif 000013
【図１２】
0003150198.tif 000014
【図１３】
0003150198.tif 000015